(57)【要約】無線装置は、ＯＦＤＭ信号を受信し、該受信信号に対して自動利得制御を行う。無線装置は、受信信号の自己相関値のピーク値を算出する自己相関手段と、受信信号の受信強度を検出する受信強度検出手段と、自己相関手段により算出された自己相関値のピーク値と予め設定されたＣＩＲ特性情報に基いてＣＩＲ推定値を推定する推定手段と、判定手段により自己相関値のピーク値が判定閾値以上であると判定されたときに受信強度検出手段により検出された受信信号の受信強度と、推定手段により推定されたＣＩＲ推定値に基いて受信信号の入力レベルを算出する補正手段と、その補正入力レベルをユーザーに表示する表示部と、補正手段により算出された受信信号の入力レベルに基いて自動利得制御を行う自動利得制御手段を備える。
2014020802.tif 000002
【特許請求の範囲】
【請求項１】
直交周波数分割多重信号である受信信号の自己相関値のピーク値を算出する自己相関手段と、
前記自己相関手段により算出された自己相関値のピーク値が判定閾値以上であるか否かを判定する判定手段と、
前記受信信号の受信強度を検出する受信強度検出手段と、
前記自己相関手段により算出された前記自己相関値のピーク値と、予め設定されたＣＩＲ特性情報に基いて干渉電力に対する信号電力の比を示すＣＩＲ推定値を推定する推定手段と、
前記判定手段により前記自己相関値のピーク値が判定閾値以上であると判定されたときに前記受信強度検出手段により検出された受信信号の受信強度と、前記推定手段により推定された前記ＣＩＲ推定値に基いて前記受信信号の入力レベルを算出する補正手段と、同入力レベルをユーザーに表示する表示手段と、
前記補正手段により算出された受信信号の入力レベルに基いて前記自動利得制御を行う自動利得制御手段を備えることを特徴とする無線装置。
【請求項２】
請求項１記載の無線装置であって、
前記自己相関手段は、前記受信信号において、複数のシンボル内におけるガードインターバルのコピーの周期性を用いて前記自己相関値のピーク値を算出することを特徴とする無線装置。
【請求項３】
請求項１又は２記載の無線装置であって、
前記自己相関手段は、
デジタル化された前記受信信号を遅延させ遅延波信号として生成する遅延器と、
前記遅延器からの遅延波信号と前記デジタル化された受信信号である主波信号との自己相関を行うことで、前記自己相関値のピーク値を算出する自己相関演算器を有することを特徴とする無線装置。
【請求項４】
請求項１乃至３のうちいずれか１項記載の無線装置であって、
前記ＣＩＲ特性情報は、前記受信信号の自己相関値のピーク値の強度が増加するに従って、希望受信信号（Carrier）に比して干渉波（Interferer）のD/U比が確保され、ＣＩＲ値が増加する関係を示す情報であることを特徴とする無線装置。
【請求項５】
請求項１乃至４のうちいずれか１項記載の無線装置であって、
前記判定手段により前記自己相関値のピーク値が判定閾値以上であると判定されたとき、前記受信強度検出手段からの受信信号の受信強度を前記補正手段に出力するオン状態と、前記判定手段により前記自己相関値のピーク値が判定閾値より小さいと判定されたとき、前記受信強度検出手段からの受信信号の受信強度を前記補正手段に出力しないオフ状態に切替るスイッチ手段を更に備えることを特徴とする無線装置。
【請求項６】
請求項１乃至５のうちいずれか１項記載の無線装置であって、
前記受信信号を受信するアンテナ手段と、
前記アンテナ手段により受信された受信信号を増幅する増幅手段と、
前記増幅手段により増幅された受信信号と所定の基準信号と混合する混合手段と、
前記自動利得制御手段からの制御信号に応じてゲインを可変させ、前記混合手段により混合された信号を可変させる可変利得手段と、
前記可変利得手段により可変されたアナログ信号をデジタル信号に変換するＡ／Ｄ変換手段を更に備え、
前記自己相関手段は、前記Ａ／Ｄ変換手段からのデジタル信号に対する自己相関値のピーク値を算出することを特徴とする無線装置。
【請求項７】
請求項１乃至６のうちいずれか１項記載の無線装置であって、
前記補正手段は、下記式を用いて前記受信信号の入力レベルを算出することを特徴とする無線装置。
前記受信信号の入力レベル
＝ＲＳＳＩ−１０Ｌｏｇ（１＋１０（−ＣＩＲ［ｄＢ］／１０））
但し、前記ＲＳＳＩは前記受信強度検出手段により検出された受信信号の受信強度であり、前記ＣＩＲは前記推定手段により推定されたＣＩＲ推定値である。
【請求項８】
直交周波数分割多重信号である受信信号の自己相関値のピーク値を算出し、
前記算出された自己相関値のピーク値が判定閾値以上であるか否かを判定し、
前記受信信号の受信強度を検出し、
前記算出された自己相関値のピーク値と、予め設定されたＣＩＲ特性情報に基いて干渉電力に対する信号電力の比を示すＣＩＲ推定値を推定し、
前記自己相関値のピーク値が判定閾値以上であると判定されたときに検出された受信信号の受信強度と、前記推定されたＣＩＲ推定値に基いて前記受信信号の入力レベルを算出するステップと、その入力レベルをユーザーに表示し、
前記算出された受信信号の入力レベルに基いて前記自動利得制御を行うことを特徴とする無線装置の通信方法。
【請求項９】
直交周波数分割多重信号である受信信号の自己相関値のピーク値を算出する処理と、
前記算出された自己相関値のピーク値が判定閾値以上であるか否かを判定する処理と、
前記算出された自己相関値のピーク値と、予め設定されたＣＩＲ特性情報に基いて干渉電力に対する信号電力の比を示すＣＩＲ推定値を推定する処理と、
前記自己相関値のピーク値が判定閾値以上であると判定されたときに検出された受信信号の受信強度と、前記推定されたＣＩＲ推定値に基いて前記受信信号の入力レベルを算出する処理と、その入力レベルをユーザーに表示する処理と、
前記算出された受信信号の入力レベルに基いて前記自動利得制御を行う処理をコンピュータに実行させる無線装置の通信プログラムを格納した非一時的なコンピュータ可読媒体。
【発明の詳細な説明】
【技術分野】
【０００１】
本発明は、外来する妨害波や干渉波入力下でも、高精度に真の希望受信信号の入力レベルを導出する事ができ、更にその入力レベルにより自動利得制御における誤差を抑制する事で、最適なレベル状況で希望波受信を行うことができる無線装置、その通信方法及びコンピュータ可読媒体に関するものである。
【背景技術】
【０００２】
無線装置において、建物等の遮蔽物によるゴースト妨害（フェージング、マルチパス）が課題となっている。近年、このような課題の克服に適した送信データの変調方式として、ＯＦＤＭ（直交周波数分割多重：Orthogonal Frequency Division Multiplexing）信号を用いた変復調方式が注目されている。例えば、外部から送信される信号を受信し、その受信信号に対して自動利得制御（ＡＧＣ：Automatic Gain Control）を行う無線装置が知られている（特許文献１参照）。なお、この特許文献１ではAGC誤差がRSSI（Received Signal Strength Indication）に重畳するDC Offsetによるものとして、従来の手動調整に対し、TDDシステムであれば送受リーク信号を用いて、DC Offset込みのRSSI特性とAGCテーブルを自動生成させて制御する事を特徴としているが、本願発明の様に、外来他システムからの妨害波・干渉波によるRSSI誤差やAGC誤差は考慮されていない。
【先行技術文献】
【特許文献】
【０００３】
【特許文献１】特開２００９−１９４８３６号公報
【特許文献２】特開２００８−１９３２９７号公報
【発明の概要】
【発明が解決しようとする課題】
【０００４】
上記無線装置においては、例えば、他のシステムから送信される妨害波信号や干渉波信号が受信信号に混入した場合、上記した様に真の受信信号レベルに対して測定誤差が発生したり、自動利得制御において誤差が発生することがある。なお、Symbol内コピーで周期信号として捉えられるCyclic PrefixをGuard Intervalとして持たない、Zero-Padding方式のOFDM信号受信（Multiband-OFDM UWB）の場合で、同UWB方式特有のSymbolの時間多重を利用した自己相関により、Symbol Timingの検出を行い、受信同期補正を行う無線装置が知られているが（特許文献２参照）、本願発明とは構成および目的が相違している。【０００５】
本発明は、このような問題点を解決するためになされたものであり、外来する妨害波や干渉波入力下でも、高精度に真の希望受信信号の入力レベルを導出する事ができ、更にその入力レベルにより自動利得制御における誤差を抑制する事で、最適なレベル状況で希望波受信を行うことができる無線装置、その通信方法及びコンピュータ可読媒体を提供することを主たる目的とする。
【課題を解決するための手段】
【０００６】
上記目的を達成するための本発明の一態様は、直交周波数分割多重信号を受信し、該受信信号に対して自動利得制御を行う無線装置であって、前記受信信号の自己相関値のピーク値を算出する自己相関手段と、前記自己相関手段により算出された自己相関値のピーク値が判定閾値以上であるか否かを判定する判定手段と、前記受信信号の受信強度を検出する受信強度検出手段と、前記自己相関手段により算出された前記自己相関値のピーク値と、予め設定されたＣＩＲ特性情報に基いて干渉電力に対する信号電力の比を示すＣＩＲ推定値を推定する推定手段と、前記判定手段により前記自己相関値のピーク値が判定閾値以上であると判定されたときに前記受信強度検出手段により検出された受信信号の受信強度と、前記推定手段により推定された前記ＣＩＲ推定値に基いて前記受信信号について正しい入力レベルを算出する補正手段と、同補正入力レベルをユーザーに表示する表示部と、前記補正手段により算出された受信信号の入力レベルに基いて前記自動利得制御を行う自動利得制御手段とを備えることを特徴とする無線装置である。
他方、上記目的を達成するための本発明の一態様は、直交周波数分割多重信号を受信し、該受信信号に対して自動利得制御を行う無線装置の通信方法であって、前記受信信号の自己相関値のピーク値を算出するステップと、前記算出された自己相関値のピーク値が判定閾値以上であるか否かを判定するステップと、前記受信信号の受信強度を検出するステップと、前記算出された自己相関値のピーク値と、予め設定されたＣＩＲ特性情報に基いて干渉電力に対する信号電力の比を示すＣＩＲ推定値を推定するステップと、前記自己相関値のピーク値が判定閾値以上であると判定されたときに検出された受信信号の受信強度と、前記推定されたＣＩＲ推定値に基いて前記受信信号の入力レベルを算出するステップと、その入力レベルをユーザーに表示するステップと、前記算出された受信信号の入力レベルに基いて前記自動利得制御を行うステップを含むことを特徴とする無線装置の通信方法であってもよい。
さらに、上記目的を達成するための本発明の一態様は、直交周波数分割多重信号を受信し、該受信信号に対して自動利得制御を行う無線装置の通信プログラムであって、前記受信信号の自己相関値のピーク値を算出する処理と、前記算出された自己相関値のピーク値が判定閾値以上であるか否かを判定する処理と、前記算出された自己相関値のピーク値と、予め設定されたＣＩＲ特性情報に基いて干渉電力に対する信号電力の比を示すＣＩＲ推定値を推定する処理と、前記自己相関値のピーク値が判定閾値以上であると判定されたときに検出された受信信号の受信強度と、前記推定されたＣＩＲ推定値に基いて前記受信信号の入力レベルを算出する処理と、その入力レベルをユーザーに表示する処理と、前記算出された受信信号の入力レベルに基いて前記自動利得制御を行う処理をコンピュータに実行させることを特徴とする無線装置の通信プログラムであってもよい。
【発明の効果】
【０００７】
本発明によれば、外来する妨害波や干渉波入力下でも、高精度に真の希望受信信号の入力レベルを導出する事ができ、更にその入力レベルにより自動利得制御における誤差を抑制する事で、最適なレベル状況で希望波受信を行うことができる無線装置、その通信方法及びコンピュータ可読媒体を提供することができる。
【図面の簡単な説明】
【０００８】
【図１】本発明の一実施の形態に係る無線装置の機能ブロック図である。
【図２】本発明の一実施の形態に係る無線装置の概略的なシステム構成を示すブロック図である。
【図３】ＯＦＤＭ受信信号のシンボルフォーマットを示す図である。
【図４】本発明の一実施の形態に係る自己相関器の概略的なシステム構成を示すブロック図である。
【図５】自己相関ピーク値とＣＩＲとの相関関係を示すＣＩＲ特性情報の一例を示す図である。
【発明を実施するための形態】
【０００９】
実施の形態
以下、図面を参照して本発明の実施の形態について説明する。図１は、本発明の一実施の形態に係る無線装置の機能ブロック図である。本実施の形態に係る無線装置１は、直交周波数分割多重信号を受信し、その受信信号に対して自動利得制御を行う。無線装置１は、受信信号の自己相関値のピーク値を算出する自己相関手段２と、自己相関手段２により算出された自己相関値のピーク値が判定閾値以上であるか否かを判定する判定手段３と、受信信号の受信強度を検出する受信強度検出手段４と、自己相関手段２により算出された自己相関値のピーク値と、予め設定されたＣＩＲ特性情報に基いて干渉電力に対する信号電力の比を示すＣＩＲ推定値を推定する推定手段５と、判定手段３により自己相関値のピーク値が判定閾値以上であると判定されたときに受信強度検出手段４により検出された受信信号の受信強度と、推定手段５により推定された前記ＣＩＲ推定値に基いて受信信号の入力レベルを算出する補正手段６と、補正手段６により算出された受信信号の入力レベルに基いて自動利得制御を行う自動利得制御手段７を備える。
【００１０】
これにより、例えば、恒常的に受信信号入力レベルが上がったままの状態で混信する他システムからの干渉波信号や妨害波信号等が存在する場合でも、真の受信信号入力レベルをユーザーに表示し、それに基いて最適なＡＧＣ利得を設定ができる。すなわち、自動利得制御における誤差を抑制し高精度に通信を行うことができる。
【００１１】
図２は、本発明の一実施の形態に係る無線装置の概略的なシステム構成を示すブロック図である。本実施の形態に係る無線装置１０は、アンテナ１１と、増幅器１２と、混合器１３と、局部発振器１４と、可変利得部１５と、Ａ／Ｄ変換器１６と、ローパスフィルタ１７と、ＧＩ除去部１８と、ＦＦＴ部１９と、復調器２０と、自己相関器２１と、判定器２２と、ＣＩＲ推定器２３と、ＲＳＳＩ部２４と、スイッチ部２５と、ＲＳＳＩ補正器２６と、ＡＧＣ制御器２７と、表示器２８と、を備えている。
【００１２】
なお、無線装置１０は、例えば、制御処理、演算処理等と行うＣＰＵ（Central Processing Unit）、ＣＰＵによって実行される制御プログラム、演算プログラム等が記憶されたＲＯＭ（Read Only Memory）、処理データ等を一時的に記憶するＲＡＭ（Random Access Memory）等からなるマイクロコンピュータを、中心にしてハードウェア構成されている。ＣＰＵ、ＲＯＭ、及びＲＡＭは、データバスなどを介して相互に接続されている。
【００１３】
アンテナ１１は、アンテナ手段の一具体例であり、例えば、ＯＦＤＭ（Orthogonal Frequency Division Multiplexing:直交周波数分割多重）受信信号、雑音波信号、妨害波信号、干渉波信号などが入力される。アンテナ１１は受信した信号を増幅器１２に対して出力する。
【００１４】
増幅器１２は、増幅手段の一具体例であり、例えば、ＬＮＡ（Low Noise Amplifier）であり、アンテナ１１から出力された信号を増幅し、混合器１３に対して出力する。
【００１５】
混合器１３は、混合手段の一具体例であり、増幅器１２から出力される信号と局部発振器１４から出力される信号とを混合し、可変利得部１５に対して出力する。なお、混合器１３の代わりに、直交復調器（ＱＤＥＭ）を用いてもよい。
【００１６】
局部発振器１４は、所定周波数で基準信号（所定の基準信号の一例）を生成し混合器１３に対して出力する。
【００１７】
可変利得部１５は、可変利得手段の一具体例であり、ＡＧＣ制御器２７から出力されるＡＧＣ（Automatic Gain Control）制御電圧に従って、内蔵アンプのゲインを可変させる。これにより、受信信号の入力レベルが変動した場合でもその出力レベルを一定に保つことができる。可変利得部１５は、ＩＦ（Intermediate Frequency：中間周波数）信号をＡ／Ｄ変換器１６に対して出力する。
【００１８】
Ａ／Ｄ変換器（ＡＤＣ：Analog Digital Converter）１６は、Ａ／Ｄ変換手段の一具体例であり、可変利得部１５から出力されるアナログ信号をデジタル信号を変換し、ローパスフィルタ１７、自己相関器２１、及びＲＳＳＩ部２４に対して出力する。なお、アンテナ１１で受信された受信信号は、上述の如く、増幅器１２、混合器１３、可変利得部１５、及びＡ／Ｄ変換器１６を介してベースバンド領域のデジタル信号に変換されている。
【００１９】
ローパスフィルタ１７は、Ａ／Ｄ変換器１６から出力されたデジタル信号のうち所定周波数以下の信号を通過させ、ＧＩ除去部１８に対して出力する。
【００２０】
ＧＩ除去部１８は、ローパスフィルタ１７から出力された信号からＧＩ（Guard Interval：ガードインターバル）を除去し、ＦＦＴ部１９に対して出力する。
【００２１】
ＦＦＴ（Fast Fourier Transform）部１９は、ＧＩ除去部１８から出力された信号に対してフーリエ変換処理を行い、復調器２０に対して出力する。なお、Ａ／Ｄ変換器１６から出力されたベースバンド領域のデジタル信号は、上述の如く、ローパスフィルタ１７、ＧＩ除去部１８、及びＦＦＴ部１９を介して、複数のサブキャリアの一次変調波に周波数分解され、復調器２０に入力される。
【００２２】
復調器２０は、ＦＦＴ部１９から出力された信号に対して復調処理を行う。
ＲＳＳＩ部２４は、受信強度検出手段の一具体例であり、Ａ／Ｄ変換器１６から出力された信号からＲＳＳＩ（Received Signal Strength Indication：受信信号強度）値を検出し、スイッチ部２５に対して出力する。
【００２３】
自己相関器２１は、自己相関手段の一具体例であり、Ａ／Ｄ変換器１６から出力された信号に対して自己相関処理を行う。図３は、ＯＦＤＭ受信信号のシンボルフォーマットを示す図である。自己相関器２１は、ＯＦＤＭ受信信号において、各シンボル（Symbol）内のＧＩコピーの周期性に着目して、後述の如く、自己相関処理を行う。
【００２４】
図４は、本実施の形態に係る自己相関器の概略的なシステム構成を示すブロック図である。本実施の形態に係る自己相関器２１は、遅延器２１１と、自己相関演算器２１２と、を有している。
【００２５】
遅延器２１１は、Ａ／Ｄ変換器１６から出力された信号を遅延させ、遅延波信号として自己相関演算器２１２に対して出力する。
【００２６】
自己相関演算器２１２は、遅延器２１１から出力される遅延波信号とＡ／Ｄ変換器１６から出力される主波信号との自己相関をとり、その自己相関値のピーク値（以下、自己相関ピーク値を称す）を算出する。自己相関演算器２１２は算出した自己相関ピーク値を判定器２２に対して出力する。
【００２７】
判定器２２は、判定手段の一具体例であり、自己相関演算器２１２から出力される自己相関ピーク値が判定閾値以上であるか否かを判定する。判定器２２は、自己相関ピーク値が判定閾値以上であると判定したとき、スイッチ部２５に対してオン信号を出力する。一方、判定器２２は、自己相関ピーク値が判定閾値より小さいと判定したとき、スイッチ部２５に対してオフ信号を出力する。
【００２８】
スイッチ部２５は、スイッチ手段の一具体例であり、判定器２２からのオン信号に応じてオン状態となり、ＲＳＳＩ部２４から出力されたＲＳＳＩ値をＲＳＳＩ補正器２６に対して出力する。一方、スイッチ部２５は、判定器２２からのオフ信号に応じてオフ状態となり、ＲＳＳＩ部２４から出力されたＲＳＳＩ値をＲＳＳＩ補正器２６に対して出力しない。
【００２９】
なお、判定器２２は、遅延器２１１に対して制御信号を出力することで遅延量制御を行う。判定器２２は、例えば自己相関ピーク値が判定閾値を超えたと判定したとき、自己相関ピーク値が判定閾値以上の間、遅延器２１１の遅延量を保持するような遅延量制御を行う。
【００３０】
判定器２２は、自己相関器２１からの自己相関ピーク値をＣＩＲ推定器２３に対して出力する。
【００３１】
ＣＩＲ（Carrier to Interference Ratio）推定器２３は、推定手段の一具体例であり、判定器２２から出力された自己相関ピーク値と、予め設定されたＣＩＲ特性情報と、に基いて、干渉電力に対する信号電力の比を示すＣＩＲ推定値［ｄＢ］を推定する。ＣＩＲ特性情報は、例えば、図５に示すように自己相関ピーク値とＣＩＲの相関関係を示す情報である。ＣＩＲ推定器２３は、推定したＣＩＲ推定値をＲＳＳＩ補正器２６に対して出力する。
【００３２】
ＲＳＳＩ補正器２６は、補正手段の一具体例であり、スイッチ部２５から出力されるＲＳＳＩ値と、ＣＩＲ推定器２３から出力されるＣＩＲ推定値と、に基いて下記式を用いて受信信号入力レベルを算出する。
受信信号入力レベル［ｄＢｍ］
＝ＲＳＳＩ［ｄＢｍ］−１０Ｌｏｇ（１＋１０（−ＣＩＲ［ｄＢ］／１０））
【００３３】
ＲＳＳＩ補正器２６は、算出した受信信号入力レベルをＡＧＣ制御器２７及び表示器２８に対して出力する。
【００３４】
ＡＧＣ制御器２７は、自動利得制御手段の一具体例であり、ＲＳＳＩ補正器２６から出力された受信信号入力レベルに基いて、可変利得部１５を制御するためのＡＧＣ制御電圧を生成し、可変利得部１５に対して出力する。
【００３５】
これにより可変利得器１５のゲインは、雑音波、妨害波、干渉波などのノイズに影響されることなく、真の受信信号入力レベルとアンテナ１１からＡ／Ｄ変換器１６までの利得とに基いて、Ａ／Ｄ変換器１６後の受信信号レベルが一定の範囲内に収まる様にＡＧＣ制御される。
【００３６】
表示器２８は、ＲＳＳＩ補正器２６から出力された受信信号入力レベルを受信状況報告としてユーザに対して表示する。表示器２８は、例えば、液晶ディスプレイ装置や有機或いは無機ＥＬディスプレイ装置などで構成されている他、装置に外部接続されるコンピュータ上のディスプレイを含む。
【００３７】
このように、本実施の形態に係る無線装置１０によれば、例えば、恒常的に受信信号入力レベルが上がったままの状態で混信する他システムからの干渉波信号や妨害波信号等が存在する場合でも、真の受信信号入力レベルに基いて最適なＡＧＣ利得を設定ができる。
【００３８】
なお、干渉波信号や妨害波信号がＡ／Ｄ変換器１６後に存在する場合、Ａ／Ｄ変換器１６をそれら混信レベル全体で飽和させない様に可変利得部１５において利得設定が行われ、若干の帯域内干渉劣化を許容しながら復調が行われる。一方、干渉波信号や妨害波信号が少ないもしくは無い場合、真の受信信号を用いて可変利得部１５において利得制御が行われ、Ａ／Ｄ変換器１６後のレベル収束を最適レベルに設定すべくＡＧＣ制御が行われる。この為、最高のＣ／Ｎ状態で受信信号をＡ／Ｄ変換器１６以降に導く事ができる。すなわち、自動利得制御における誤差を抑制し高精度に通信を行うことができる。
【００３９】
なお、本発明は上記実施の形態に限られたものではなく、趣旨を逸脱しない範囲で適宜変更することが可能である。
【００４０】
また、本発明は、上記増幅器１２、混合器１３、局部発振器１４、可変利得部１５、Ａ／Ｄ変換器１６、ローパスフィルタ１７、ＧＩ除去部１８、ＦＦＴ部１９、復調器２０、自己相関器２１、判定器２２、ＣＩＲ推定器２３、ＲＳＳＩ部２４、スイッチ部２５、ＲＳＳＩ補正器２６、ＡＧＣ制御器２７などが実行する処理を、ＣＰＵにコンピュータプログラムを実行させることにより実現することも可能である。
【００４１】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００４２】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４３】
上記実施の形態の一部又は全部は、以下の付記のようにも記載されうるが、以下には限られない。
【００４４】
（付記１）
直交周波数分割多重信号を受信し、該受信信号に対して自動利得制御を行う無線装置であって、
前記受信信号の自己相関値のピーク値を算出する自己相関手段と、
前記自己相関手段により算出された自己相関値のピーク値が判定閾値以上であるか否かを判定する判定手段と、
前記受信信号の受信強度を検出する受信強度検出手段と、
前記自己相関手段により算出された前記自己相関値のピーク値と、予め設定されたＣＩＲ特性情報に基いて干渉電力に対する信号電力の比を示すＣＩＲ推定値を推定する推定手段と、
前記判定手段により前記自己相関値のピーク値が判定閾値以上であると判定されたときに前記受信強度検出手段により検出された受信信号の受信強度と、前記推定手段により推定された前記ＣＩＲ推定値に基いて前記受信信号の入力レベルを算出する補正手段と、その補正入力レベルをユーザーに表示する表示手段と、
前記補正手段により算出された受信信号の入力レベルに基いて前記自動利得制御を行う自動利得制御手段を備えることを特徴とする無線装置。
（付記２）
（付記１）記載の無線装置であって、
前記自己相関手段は、前記受信信号において、複数のシンボル内におけるガードインターバルのコピーの周期性を用いて前記自己相関値のピーク値を算出する、ことを特徴とする無線装置。
（付記３）
（付記１）又は（付記２）記載の無線装置であって、
前記自己相関手段は、
デジタル化された前記受信信号を遅延させ遅延波信号として生成する遅延器と、
前記遅延器からの遅延波信号と前記デジタル化された受信信号である主波信号との自己相関を行うことで、前記自己相関値のピーク値を算出する自己相関演算器と、
を有することを特徴とする無線装置。
（付記４）
（付記１）乃至（付記３）のうちいずれか記載の無線装置であって、
前記ＣＩＲ特性情報は、前記受信信号の自己相関値のピーク値の強度が増加するに従って、希望受信信号（Carrier）に比して干渉波（Interferer）のD/U比が確保され、ＣＩＲ値が増加する関係を示す情報であることを特徴とする無線装置。
（付記５）
（付記１）乃至（付記４）のうちいずれか記載の無線装置であって、
前記判定手段により前記自己相関値のピーク値が判定閾値以上であると判定されたとき、前記受信強度検出手段からの受信信号の受信強度を前記補正手段に出力するオン状態と、前記判定手段により前記自己相関値のピーク値が判定閾値より小さいと判定されたとき、前記受信強度検出手段からの受信信号の受信強度を前記補正手段に出力しないオフ状態と、に切替るスイッチ手段を更に備えることを特徴とする無線装置。
（付記６）
（付記１）乃至（付記５）のうちいずれか記載の無線装置であって、
前記受信信号を受信するアンテナ手段と、
前記アンテナ手段により受信された受信信号を増幅する増幅手段と、
前記増幅手段により増幅された受信信号と所定の基準信号と混合する混合手段と、
前記自動利得制御手段からの制御信号に応じてゲインを可変させ、前記混合手段により混合された信号を可変させる可変利得手段と、
前記可変利得手段により可変されたアナログ信号をデジタル信号に変換するＡ／Ｄ変換手段を更に備え、
前記自己相関手段は、前記Ａ／Ｄ変換手段からのデジタル信号に対する自己相関値のピーク値を算出することを特徴とする無線装置。
（付記７）
（付記１）乃至（付記６）のうちいずれか記載の無線装置であって、
前記補正手段は、下記式を用いて前記受信信号の入力レベルを算出することを特徴とする無線装置。
前記受信信号の入力レベル
＝ＲＳＳＩ−１０Ｌｏｇ（１＋１０（−ＣＩＲ［ｄＢ］／１０））
但し、前記ＲＳＳＩは前記受信強度検出手段により検出された受信信号の受信強度であり、前記ＣＩＲは前記推定手段により推定されたＣＩＲ推定値である。
（付記８）
直交周波数分割多重信号を受信し、該受信信号に対して自動利得制御を行う無線装置の通信方法であって、
前記受信信号の自己相関値のピーク値を算出するステップと、
前記算出された自己相関値のピーク値が判定閾値以上であるか否かを判定するステップと、
前記受信信号の受信強度を検出するステップと、
前記算出された自己相関値のピーク値と、予め設定されたＣＩＲ特性情報に基いて干渉電力に対する信号電力の比を示すＣＩＲ推定値を推定するステップと、
前記自己相関値のピーク値が判定閾値以上であると判定されたときに検出された受信信号の受信強度と、前記推定されたＣＩＲ推定値に基いて前記受信信号の入力レベルを算出するステップと、その入力レベルをユーザーに表示するステップと、
前記算出された受信信号の入力レベルに基いて前記自動利得制御を行うステップを含むことを特徴とする無線装置の通信方法。
（付記９）
直交周波数分割多重信号を受信し、該受信信号に対して自動利得制御を行う無線装置の通信プログラムであって、
前記受信信号の自己相関値のピーク値を算出する処理と、
前記算出された自己相関値のピーク値が判定閾値以上であるか否かを判定する処理と、
前記算出された自己相関値のピーク値と、予め設定されたＣＩＲ特性情報に基いて干渉電力に対する信号電力の比を示すＣＩＲ推定値を推定する処理と、
前記自己相関値のピーク値が判定閾値以上であると判定されたときに検出された受信信号の受信強度と、前記推定されたＣＩＲ推定値に基いて前記受信信号の入力レベルを算出する処理と、その入力レベルをユーザーに表示する処理と、
前記算出された受信信号の入力レベルに基いて前記自動利得制御を行う処理をコンピュータに実行させることを特徴とする無線装置の通信プログラム。
【００４５】
この出願は、２０１２年７月３１日に出願された日本出願特願２０１２−１６９６４６を基礎とする優先権を主張し、その開示の全てをここに取り込む。
【符号の説明】
【００４６】
１、１０    無線装置
２    自己相関手段
３    判定手段
４    受信強度検出手段
５    推定手段
６    補正手段
７    自動利得制御手段
１１    アンテナ
１２    増幅器
１３    混合器
１４    局部発振器
１５    可変利得部
１６    Ａ／Ｄ変換器
１７    ローパスフィルタ
１８    ＧＩ除去部
１９    ＦＦＴ部
２０    復調器
２１    自己相関器
２２    判定器
２３    ＣＩＲ推定器
２４    ＲＳＳＩ部
２５    スイッチ部
２６    ＲＳＳＩ補正器
２７    ＡＧＣ制御器
２８    表示器
２１１    遅延器
２１２    自己相関演算器
【図１】
2014020802.tif 000003
【図２】
2014020802.tif 000004
【図３】
2014020802.tif 000005
【図４】
2014020802.tif 000006
【図５】
2014020802.tif 000007
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
直交周波数分割多重信号を受信し、該受信信号に対して自動利得制御を行う無線装置であって、
前記受信信号の自己相関値のピーク値を算出する自己相関手段と、
前記自己相関手段により算出された自己相関値のピーク値が判定閾値以上であるか否かを判定する判定手段と、
前記受信信号の受信強度を検出する受信強度検出手段と、
前記自己相関手段により算出された前記自己相関値のピーク値と、予め設定されたＣＩＲ特性情報に基いて干渉電力に対する信号電力の比を示すＣＩＲ推定値を推定する推定手段と、
前記判定手段により前記自己相関値のピーク値が判定閾値以上であると判定されたときに前記受信強度検出手段により検出された受信信号の受信強度と、前記推定手段により推定された前記ＣＩＲ推定値に基いて前記受信信号の入力レベルを算出する補正手段と、同入力レベルをユーザーに表示する表示手段と、
前記補正手段により算出された受信信号の入力レベルに基いて前記自動利得制御を行う自動利得制御手段を備えることを特徴とする無線装置。
【請求項２】
請求項１記載の無線装置であって、
前記自己相関手段は、前記受信信号において、複数のシンボル内におけるガードインターバルのコピーの周期性を用いて前記自己相関値のピーク値を算出することを特徴とする無線装置。
【請求項３】
請求項１又は２記載の無線装置であって、
前記自己相関手段は、
デジタル化された前記受信信号を遅延させ遅延波信号として生成する遅延器と、
前記遅延器からの遅延波信号と前記デジタル化された受信信号である主波信号との自己相関を行うことで、前記自己相関値のピーク値を算出する自己相関演算器を有することを特徴とする無線装置。
【請求項４】
請求項１乃至３のうちいずれか１項記載の無線装置であって、
前記ＣＩＲ特性情報は、前記受信信号の自己相関値のピーク値の強度が増加するに従って、希望受信信号（Carrier）に比して干渉波（Interferer）のD/U比が確保され、ＣＩＲ値が増加する関係を示す情報であることを特徴とする無線装置。
【請求項５】
請求項１乃至４のうちいずれか１項記載の無線装置であって、
前記判定手段により前記自己相関値のピーク値が判定閾値以上であると判定されたとき、前記受信強度検出手段からの受信信号の受信強度を前記補正手段に出力するオン状態と、前記判定手段により前記自己相関値のピーク値が判定閾値より小さいと判定されたとき、前記受信強度検出手段からの受信信号の受信強度を前記補正手段に出力しないオフ状態に切替るスイッチ手段を更に備えることを特徴とする無線装置。
【請求項６】
請求項１乃至５のうちいずれか１項記載の無線装置であって、
前記受信信号を受信するアンテナ手段と、
前記アンテナ手段により受信された受信信号を増幅する増幅手段と、
前記増幅手段により増幅された受信信号と所定の基準信号と混合する混合手段と、
前記自動利得制御手段からの制御信号に応じてゲインを可変させ、前記混合手段により混合された信号を可変させる可変利得手段と、
前記可変利得手段により可変されたアナログ信号をデジタル信号に変換するＡ／Ｄ変換手段を更に備え、
前記自己相関手段は、前記Ａ／Ｄ変換手段からのデジタル信号に対する自己相関値のピーク値を算出することを特徴とする無線装置。
【請求項７】
請求項１乃至６のうちいずれか１項記載の無線装置であって、
前記補正手段は、下記式を用いて前記受信信号の入力レベルを算出することを特徴とする無線装置。
前記受信信号の入力レベル
＝ＲＳＳＩ−１０Ｌｏｇ（１＋１０（−ＣＩＲ［ｄＢ］／１０））
但し、前記ＲＳＳＩは前記受信強度検出手段により検出された受信信号の受信強度であり、前記ＣＩＲは前記推定手段により推定されたＣＩＲ推定値である。
【請求項８】
直交周波数分割多重信号を受信し、該受信信号に対して自動利得制御を行う無線装置の通信方法であって、
前記受信信号の自己相関値のピーク値を算出するステップと、
前記算出された自己相関値のピーク値が判定閾値以上であるか否かを判定するステップと、
前記受信信号の受信強度を検出するステップと、
前記算出された自己相関値のピーク値と、予め設定されたＣＩＲ特性情報に基いて干渉電力に対する信号電力の比を示すＣＩＲ推定値を推定するステップと、
前記自己相関値のピーク値が判定閾値以上であると判定されたときに検出された受信信号の受信強度と、前記推定されたＣＩＲ推定値に基いて前記受信信号の入力レベルを算出するステップと、その入力レベルをユーザーに表示するステップと、
前記算出された受信信号の入力レベルに基いて前記自動利得制御を行うステップを含むことを特徴とする無線装置の通信方法。
【請求項９】
直交周波数分割多重信号を受信し、該受信信号に対して自動利得制御を行う無線装置の通信プログラムであって、
前記受信信号の自己相関値のピーク値を算出する処理と、
前記算出された自己相関値のピーク値が判定閾値以上であるか否かを判定する処理と、
前記算出された自己相関値のピーク値と、予め設定されたＣＩＲ特性情報に基いて干渉電力に対する信号電力の比を示すＣＩＲ推定値を推定する処理と、
前記自己相関値のピーク値が判定閾値以上であると判定されたときに検出された受信信号の受信強度と、前記推定されたＣＩＲ推定値に基いて前記受信信号の入力レベルを算出する処理と、その入力レベルをユーザーに表示する処理と、
前記算出された受信信号の入力レベルに基いて前記自動利得制御を行う処理をコンピュータに実行させることを特徴とする無線装置の通信プログラム。
【国際調査報告】
2014020802.tif 000008
2014020802.tif 000009
2014020802.tif 000010
2014020802.tif 000011